(57)【特許請求の範囲】
【請求項１】
扉枠に固定され該扉枠の框延在方向に沿って長い矩形状で形成されるとともに、扉に設けられた錠箱から進出するデッドボルトを進入させる係止穴の穿設された係止板部が前記框表面から浮上するように嵩上げされ、外力によって前記係止板部が前記框に接近する方向に変形可能な対震ストライクであって、
前記係止板部を中央部に有し該係止板部の長手方向両端に該係止板部を嵩上げ位置に支持する傾斜当接片部を連設して板金材によって一体形成されたストライク本体と、
該ストライク本体に固着され前記係止板部が嵩上げされることにより形成された係止板部両長辺側の開口空間を塞ぎ少なくとも一方が前記係止板部から前記框に下る傾斜面で形成された樹脂材からなる一対の塞ぎ部材と、
を具備し、
前記一対の塞ぎ部材は、連結部を介して一体的に連結されて成形されており、該連結部には凸部が突設され、
前記ストライク本体には、前記凸部が嵌入する貫通固定孔が穿設され、
該貫通固定孔に嵌入させた前記凸部を加締めて前記塞ぎ部材が前記ストライク本体に固着されたことを特徴とする対震ストライク。
【請求項２】
前記ストライク本体の外縁が接する前記塞ぎ部材の縁部に、前記ストライク本体の外縁を裏面から当接支持する段部が設けられたことを特徴とする請求項１記載の対震ストライク。
【発明の詳細な説明】
【技術分野】
【０００１】
本発明は、デッドボルトを進入させる係止板部が外力によって扉枠の框に接近する方向に変形可能な対震ストライクに関する。
【背景技術】
【０００２】
一般に、マンションなどにおいては、ドア枠に錠受を取付け、この錠受にドア側に設けた施解錠装置のデッドボルトを進退係脱させることにより、施錠や解錠を行う。近年では、地震などの災害発生時にドアを確実に開放させて室外への避難を可能とするため、ドアとドア枠の間に所定のクリアランス（１３ｍｍ程度）を設けている。地震発生時には、ドア枠周辺の壁が破壊され、ドア枠が変形してドアに接触する外力が発生するので、錠受は、所定以上の外力が加えられたとき、上記クリアランスが確保される方向に変形可能とする必要がある。このように、所定以上の外力が発生したとき、錠受を変形させると、ドア枠とドアの間に所定の隙間を確保でき、しかも錠受の係止孔に係止されているドア側のデッドボルトを離脱させることもできるので、ドアの開放が補償されて室外への避難が容易となる。
【０００３】
従来では、例えば図９に示すようなドア用錠受１を用いている。この錠受１は、デッドボルトの係止孔３を形成した本体壁部５と、その上下両側に一体に設けた連結片７，７と、これら連結片７を介して本体壁部５と平行な段状に形成され、ドア枠９の内側面に固定する固定片１１，１１とを備えており、これらは鋼板をプレス加工して形成される。そして、ドア枠９の内面に各固定片１１を固定ビスなどで固定して、本体壁部５の係止孔３にドア側のデッドボルトを係脱させることにより施錠や解錠を行う。
【０００４】
このドア用錠受１によれば、地震発生時に、ドア枠周辺の壁が破壊され、ドア枠が変形してドアに接触する外力が発生すると、本体壁部５が例えばドア木口に表出する錠箱フロントパネルに押しつけられ、連結片７，７の傾斜角度が小さくなる方向に潰れ、ドア用錠受１が大きな力によってドアに接触し、ドアの開放が不能となる事態を回避できる。このような効果は、ドア用錠受１がドアの室内面に取り付けられる面付け錠タイプの場合においても同様に得ることができる。
【特許文献１】特開平１１−６２３３７号公報
【発明の開示】
【発明が解決しようとする課題】
【０００５】
しかしながら、上記した従来のドア用錠受は、鋼板を折曲加工或いはプレス加工して、本体壁部５を傾斜連結片７，７によって嵩上げした板金部材であるため、側面が開口１３となり、使用者に軟弱な感じを与えて外観も悪い問題があった。このような見栄えの悪さは、ドア用錠受１がドアの室内面に取り付けられる面付け錠タイプの場合、特に顕著となった。これに対し、開口１３を塞ぐ側壁部をプレス加工にて折曲形成すれば、開口１３は覆え、デッドボルト等の表出はなくなるものの、側壁部により強度が高まり、ドア用錠受１が変形し難くなる新たな問題を招いた。また、ドア用錠受を潰す方向の外力が加わった際、折曲加工にて形成した側壁部が進入可能となる切り込みをトロヨケ等に設けておく構造も考えられるが、構造が複雑となるとともに、不規則方向の変形が生じた場合には切り込みに側壁部が進入不能となり、結局、ドア用錠受１が変形し難くなることが危惧された。
【０００６】
本発明は上記状況に鑑みてなされたもので、潰れるなどの変形可能に嵩上げされた係止板部両側の開口を塞ぎながら、確実な変形が可能となる対震ストライクを提供し、もって、見栄えの向上と、地震発生時におけるクリアランス確保機能の信頼性向上を図ることを目的とする。
【課題を解決するための手段】
【０００７】
次に、上記の課題を解決するための手段を、実施の形態に対応する図面を参照して説明する。
本発明の請求項１記載の対震ストライクは、扉枠２５に固定され該扉枠２５の框延在方向に沿って長い矩形状で形成されるとともに、扉に設けられた錠箱から進出するデッドボルト４７を進入させる係止穴４９の穿設された係止板部５１が前記框表面から浮上するように嵩上げされ、外力によって前記係止板部５１が前記框に接近する方向に変形可能な対震ストライク１００であって、
前記係止板部５１を中央部に有し該係止板部５１の長手方向両端に該係止板部５１を嵩上げ位置に支持する傾斜当接片部５３を連設して板金材によって一体形成されたストライク本体２１と、
該ストライク本体２１に固着され前記係止板部５１が嵩上げされることにより形成された係止板部両長辺側の開口空間５５を塞ぎ少なくとも一方が前記係止板部５１から前記框に下る傾斜面５７で形成された樹脂材からなる一対の塞ぎ部材２３ａ，２３ｂと、
を具備し、
前記一対の塞ぎ部材２３ａ，２３ｂは、連結部５９を介して一体的に連結されて成形されており、該連結部５９には凸部６３が突設され、
前記ストライク本体２１には、前記凸部６３が嵌入する貫通固定孔６５が穿設され、
該貫通固定孔６５に嵌入させた前記凸部６３を加締めて前記塞ぎ部材２３ａ，２３ｂが前記ストライク本体２１に固着されたことを特徴とする。
【０００８】
この対震ストライクでは、面積の大きい開口空間５５が強度の小さい樹脂材により塞がれ、開口空間５５を塞ぐ塞ぎ部材２３ａ，２３ｂが容易に変形することで、係止板部５１の扉枠２５に接近する方向の変形を阻害することがない。また、塞ぎ部材２３ａ，２３ｂの一方が傾斜面５７で形成され、ラッチボルトを後退させるための反力が付与可能になるとともに、係止板部５１の変形時には、一方の塞ぎ部材２３ａが傾斜角度を小さくするように変形して平坦に展開され、係止板部５１の変形を阻害することがない。
【００１０】
また、この対震ストライクでは、一対の塞ぎ部材２３ａ，２３ｂが一体の一部品で成形可能され、部品点数が少なくなる。また、傾斜面５７となる一方の塞ぎ部材２３ａの傾斜面頂部６１が連結部５９を介して他方の塞ぎ部材２３ｂに支持され、すなわち展開するような方向の変形となって、変形時には一方の塞ぎ部材２３ａが傾斜角度を小さくするように確実に変形する。
【００１２】
さらに、この対震ストライクでは、ストライク本体２１と塞ぎ部材２３ａ，２３ｂとの固着構造が簡素となる。また、固定部が点在することにより、変形時における係止板部５１への拘束力が小さくなる。さらに、凸部６３の加締めという単純な連結構造であることで、互いが容易に外れやすくもなり、変形の阻害を少なくできる。
【００１３】
請求項２記載の対震ストライクは、前記ストライク本体２１の外縁２１ａが接する前記塞ぎ部材２３ａ，２３ｂの縁部に、前記ストライク本体２１の外縁２１ａを裏面から当接支持する段部６７が設けられたことを特徴とする。
【００１４】
この対震ストライクでは、係止板部５１が扉枠２５に接近する方向に変形する際、係止板部５１の変位に追従して係止板部５１の外縁２１ａ裏面に段部６７が押圧されて、塞ぎ部材２３ａ，２３ｂが変形する。これにより、特に傾斜面５７となった一方の塞ぎ部材２３ａが、確実に傾斜角度を小さくするように変形して略平坦に展開される。
【発明の効果】
【００１５】
本発明に係る請求項１記載の対震ストライクによれば、係止板部を中央部に有しその長手方向両端に傾斜当接片部を連設して板金材によって一体形成されたストライク本体と、このストライク本体に固着され係止板部が嵩上げされることにより形成された開口空間を塞ぐ樹脂材からなる一対の塞ぎ部材とを備えたので、面積の大きい開口空間が強度の小さい樹脂材により塞がれ、開口空間を塞ぎ部材が容易に変形することで、係止板部の扉枠に接近する方向の変形を阻害することがない。また、塞ぎ部材の一方が傾斜面で形成されるので、ラッチボルトを後退させるための反力を付与することができるとともに、係止板部の変形時には、傾斜角度を小さくするように変形して略平坦に展開され、係止板部の変形を阻害することがない。この結果、見栄えの向上と、地震発生時におけるクリアランス確保機能の信頼性向上とを同時に達成することができる。
【００１６】
また、この対震ストライクによれば、一対の塞ぎ部材が、連結部を介して一体的に連結されて成形されたので、一対の塞ぎ部材を一体の一部品で成形でき、部品点数を少なくすることができる。また、傾斜面となる一方の塞ぎ部材の傾斜面頂部が連結部を介して他方の塞ぎ部材に支持されるので、変形時には一方の塞ぎ部材が傾斜角度を小さくするように変形して略平坦に展開され、係止板部の変形を阻害しない。
【００１７】
そして、この対震ストライクによれば、貫通固定孔に嵌入させた凸部を加締めて塞ぎ部材をストライク本体に固着するので、ストライク本体と塞ぎ部材との固着構造が簡素となるとともに、固定部を点在させることができ、変形時における係止板部への拘束力を小さくして、係止板部の変形を阻害しない。さらに、凸部の加締めという単純な連結構造であることから、互いが容易に外れやすくなり、このことからも変形の阻害を少なくできる。
【００１８】
請求項２記載の対震ストライクによれば、ストライク本体の外縁が接する塞ぎ部材の縁部に、ストライク本体の外縁を裏面から当接支持する段部を設けたので、係止板部が扉枠に接近する方向に変形する際、係止板部の変位に追従して係止板部の外縁裏面に段部が押圧されて、塞ぎ部材が変形し、特に傾斜面となった一方の塞ぎ部材は、傾斜角度を小さくするように変形して略平坦に展開され、係止板部の変形を阻害しない。
【発明を実施するための最良の形態】
【００１９】
以下、本発明に係る対震ストライクの好適な実施の形態を図面を参照して詳細に説明する。
図１は本発明に係る対震ストライクの外観斜視図、図２は図１に示したストライク本体及び塞ぎ部材の分解斜視図、図３は図１に示した対震ストライクの縦断面図、図４は図３のＡ−Ａ矢視図、図５は図４のストライク本体及び塞ぎ部材を除いた正面図、図６は図４のＢ−Ｂ矢視図である。
本実施の形態による対震ストライク１００は、図１、図２に示すストライク本体２１と、一対の塞ぎ部材２３ａ，２３ｂとを備える。図３に示すように、扉枠２５には凹状の収容空間２７を有するトロヨケ２９が、上下の固定フランジ部２９ａ，２９ｂを介してビス３１により固定される。このトロヨケ２９の内部には、略相似形に形成された箱状の可動部材３３が、後退間隙３５を有して収容されている。
【００２０】
可動部材３３の長手方向（図３の上下方向）両端には略箱状に形成された一対の補強部材３７ａ，３７ｂが収容されている。補強部材３７ａ，３７ｂは、可動部材３３の上端及び下端から挿入された固定ビス３９により、可動部材３３の内で固定される。可動部材３３の上部、下部にはビス３９，３９を介して位置規制部材４１，４１が共締めされ、位置規制部材４１，４１は先端をトロヨケ２９の内部天井面、及び底面に当接することで、可動部材３３をトロヨケ２９の上下方向中央に位置規制している。
【００２１】
可動部材３３及びそれぞれの補強部材３７ａ，３７ｂの側面には係合穴４３が穿設され、係合穴４３にはトロヨケ２９の両側面から内方に向けて突出した４つの突起４５が挿入されている。これにより、可動部材３３は、後退間隙３５を縮める方向への移動が可能となるとともに、トロヨケ２９からの脱落が規制されている。
【００２２】
図１に示したストライク本体２１と塞ぎ部材２３ａ，２３ｂは、扉枠２５の框延在方向に沿って長い矩形状で形成される。ストライク本体２１は、図示しない扉に設けられた錠箱から進出するデッドボルト４７を進入させる係止穴４９の穿設された係止板部５１を有する。ストライク本体２１は、長手方向両端に連設された傾斜当接片部５３，５３によって、係止板部５１が扉枠２５から浮上するように嵩上げされて配置される。係止板部５１と一対の傾斜当接片部５３，５３とは、ステンレス等の板金材によって一体形成される。
【００２３】
一対の塞ぎ部材２３ａ，２３ｂは、ストライク本体２１に固着され、係止板部５１が嵩上げされることにより形成された係止板部両長辺側の開口空間５５を塞ぐ。一対の塞ぎ部材２３ａ，２３ｂの少なくとも一方２３ａ、好ましくは扉の開く方向の面側となる一方は、係止板部５１から扉枠２５に下る傾斜面５７で形成されている。
【００２４】
この一対の塞ぎ部材２３ａ，２３ｂは、図２に示すように、本実施の形態では一対の連結部５９，５９を介して樹脂材により一体的に連結されて成形される。樹脂材としては、例ばえＡＡＳなどの耐候性・耐衝撃性を有する合成樹脂を好適に用いることができる。このように、一対の塞ぎ部材２３ａ，２３ｂを、連結部５９を介して一体的に連結成形することで、一対の塞ぎ部材２３ａ，２３ｂを一体の一部品で成形でき、部品点数を少なくすることができる。また、傾斜面５７となる一方の塞ぎ部材２３ａの傾斜面頂部６１が連結部５９を介して他方の塞ぎ部材２３ｂに支持されるので、変形時には一方の塞ぎ部材２３ａが傾斜角度を小さくするように変形して平坦に展開され、係止板部５１の変形を阻害しない。
【００２５】
連結部５９には複数、本実施の形態では２つの凸部６３が突設され、上下一対の両連結部にて凸部６３が４つ突設される。ストライク本体２１には各凸部６３が嵌入する複数、本実施の形態では４つの貫通固定孔６５が穿設される。ストライク本体２１と塞ぎ部材２３ａ，２３ｂは、貫通固定孔６５に嵌入させた凸部６３を加締めて一体に固着される。このように、貫通固定孔６５に嵌入させた凸部６３を加締め、塞ぎ部材２３ａ，２３ｂをストライク本体２１に固着することで、ストライク本体２１と塞ぎ部材２３ａ，２３ｂとの固着構造が簡素となるとともに、固定部を点在させることができ、変形時における係止板部５１への拘束力を小さくして、係止板部５１の変形を阻害しないようにできる。
【００２６】
また、図２に示すように、ストライク本体２１の外縁２１ａが接する塞ぎ部材２３ａ，２３ｂの縁部には、ストライク本体２１の外縁２１ａの裏面側を当接支持する段部６７が設けられている。このように、ストライク本体２１の外縁２１ａが接する塞ぎ部材２３ａ，２３ｂの縁部に、外縁２１ａを当接支持する段部６７を設けることで、係止板部５１が扉枠２５に接近する方向に変形する際、係止板部５１の変位に追従して外縁２１ａによって段部６７が変形方向に押圧される。これにより、塞ぎ部材２３ａ，２３ｂが変形し、特に傾斜面５７となった一方の塞ぎ部材２３ａは、傾斜下縁が外方向に滑ることとなって、傾斜角度を小さくするように変形して略平坦に展開され、係止板部５１の変形を阻害しなくなる。
【００２７】
一体に固着されたストライク本体２１と塞ぎ部材２３ａ，２３ｂは、ストライク本体２１に穿設された固定孔６９，６９に、ビス７１，７１が挿入され、このビス７１，７１が補強部材３７ａ，３７ｂに設けられた図３に示すネジ孔７３，７３に螺合することで、可動部材３３に固定される。可動部材３３に固定されたストライク本体２１は、図４に示す係止穴４９が、可動部材３３の図５に示す係止穴７５に一致する。
【００２８】
ストライク本体２１が可動部材３３に螺着固定された状態で、図３に示すように、ストライク本体２１の傾斜当接片部５３の下端は、扉枠２５に当接する。また、図６に示すように、塞ぎ部材２３ａ，２３ｂの下端も扉枠２５に当接する。これにより、一体となったストライク本体２１及び可動部材３３は、扉枠２５から離反する方向の移動が突起４５により規制されるとともに、扉枠２５に接近する方向の移動が傾斜当接片部５３及び塞ぎ部材２３ａ，２３ｂによって規制されている。そして、この状態で、可動部材３３は、略半部がトロヨケ２９内に位置し、ストライク本体２１と螺着固定されている側の略半部が扉枠２５より突出して、その突出部分の周囲を、ストライク本体２１の傾斜当接片部５３と塞ぎ部材２３ａ，２３ｂとで覆うようになる。また、この状態では、図３に示すようにデッドボルト４７が進出している状態でストライク本体２１の係止穴４９のみではなく、可動部材３３内にも位置することとなる。
【００２９】
次に、上記のように構成された対震ストライクの作用を説明する。
図７は外力によりストライク本体及び塞ぎ部材が変形した状態の縦端面図、図８は図７のＣ−Ｃ矢視図である。
上記の対震ストライク１００の取り付けられた扉枠２５が、地震等により変形し、扉枠２５と扉木口２６、或いは扉枠２５と、扉付設の面付け錠２８との間隔を狭める変形が生じた場合、対震ストライク１００のストライク本体２１には、扉枠２５に接近する方向の圧力が加わる。
【００３０】
対震ストライク１００では、このような外力が加わると、先ず、ストライク本体２１の傾斜当接片部５３が傾斜角度を小さくする方向に、すなわち拡がるように、略平坦に展開されて変形する。これにより、扉枠２５からの嵩上げ寸法Ｈが縮められることとなる。
【００３１】
また、この際同時にストライク本体２１と一体となった塞ぎ部材２３ａ，２３ｂも、傾斜面５７の角度が小さくなる方向に、略平坦に変形展開される。また、これらのストライク本体２１及び塞ぎ部材２３ａ，２３ｂの変形変位に応じ、可動部材３３は、凸部６３に対して係合穴４３が移動することで、トロヨケ２９の後退間隙３５を縮める方向に押し込められることとなる。
【００３２】
このように、対震ストライク１００では、面積の大きい開口空間５５が強度の小さい樹脂材により塞がれ、開口空間５５を塞ぐ塞ぎ部材２３ａ，２３ｂが容易に変形することで係止板部５１の扉枠２５に接近する方向の変形を阻害することがない。また、塞ぎ部材２３ａ，２３ｂの一方が傾斜面５７で形成され、図示しないラッチボルトを後退させるための反力が付与可能になるとともに、係止板部５１の変形時には、一方の塞ぎ部材２３ａが傾斜角度を小さくするように変形して平坦に展開され、係止板部５１の変形を阻害することがない。
【００３３】
したがって、上記の対震ストライク１００によれば、係止板部５１を中央部に有しその長手方向両端に傾斜当接片部５３を連設して板金材によって一体形成されたストライク本体２１と、このストライク本体２１に固着され係止板部５１が嵩上げされることにより形成された開口空間５５を塞ぐ樹脂材からなる一対の塞ぎ部材２３ａ，２３ｂとを備えたので、面積の大きい開口空間５５が強度の小さい樹脂材により塞がれ、開口空間５５を塞ぐ塞ぎ部材２３ａ，２３ｂが容易に変形することから係止板部５１の扉枠２５に接近する方向の変形を阻害することがない。また、塞ぎ部材２３ａ，２３ｂの一方が傾斜面５７で形成されるので、ラッチボルトを後退させるための反力を付与することができるとともに、係止板部５１の変形時には、傾斜角度を小さくするように変形して略平坦に展開され、係止板部５１の変形を阻害することがない。この結果、見栄えの向上と、地震発生時におけるクリアランス確保機能の信頼性向上とを同時に達成することができる。
【００３４】
なお、上記の実施の形態では、ストライク本体２１と塞ぎ部材２３ａ，２３ｂとを凸部６３の加締めにより固着する例を説明したが、ストライク本体２１と塞ぎ部材２３ａ，２３ｂとは、加締め以外に、ビスによる螺着、接着剤による接着、凸部６３を溶融変形させる溶着、或いはストライク本体２１を塞ぎ部材２３ａ，２３ｂによって覆うように被せる被着であってもよい。
【００３５】
また、本発明に係る対震ストライクは、錠箱が扉に内設される扉内設錠、或いは錠箱が扉面に表出して取り付けられる面付け錠の何れにも適して同様の効果を奏するものである。
【図面の簡単な説明】
【００３６】
【図１】本発明に係る対震ストライクの外観斜視図である。
【図２】図１に示したストライク本体及び塞ぎ部材の分解斜視図である。
【図３】図１に示した対震ストライクの縦断面図である。
【図４】図３のＡ−Ａ矢視図である。
【図５】図４のストライク本体及び塞ぎ部材を除いた正面図である。
【図６】図４のＢ−Ｂ矢視図である。
【図７】外力によりストライク本体及び塞ぎ部材が変形した状態の縦端面図である。
【図８】図７のＣ−Ｃ矢視図である。
【図９】従来の対震ストライクの概略斜視図である。
【符号の説明】
【００３７】
２１…ストライク本体
２１ａ…ストライク本体の外縁
２３ａ，２３ｂ…塞ぎ部材
２５…扉枠
４７…デッドボルト
４９…係止穴
５１…係止板部
５３…傾斜当接片部
５５…開口空間
５７…傾斜面
５９…連結部
６３…凸部
６５…貫通固定孔
６７…段部
１００…対震ストライク
【図１】
0004847214.tif 000002
【図２】
0004847214.tif 000003
【図３】
0004847214.tif 000004
【図４】
0004847214.tif 000005
【図５】
0004847214.tif 000006
【図６】
0004847214.tif 000007
【図７】
0004847214.tif 000008
【図８】
0004847214.tif 000009
【図９】
0004847214.tif 000010